(57)【特許請求の範囲】
【請求項１】
1つ又は複数の画素を有する液晶ディスプレイであって、各前記画素は、
設定された第１電圧閾値で動作する第１サブピクセルと、
前記第１サブピクセルに隣接して設定された第２電圧閾値で動作する第２サブピクセルと、
を備え、
前記第１電圧閾値は、前記第２電圧閾値より小さく、
前記第１サブピクセルは、前記第２サブピクセルによって２つの部分に分割され、
前記第１サブピクセルの前記２つの部分と前記第２サブピクセルとの間にそれぞれ第１スリットと第２スリットを挟んでいて、前記第１スリットは前記画素の片側の中心点から前記片側の反対側の一方の角に延び、前記第２スリットは前記画素の前記片側の中心点から前記反対側の他方の角に延びることを特徴とする液晶ディスプレイ。
【請求項２】
前記第１サブピクセルと前記第２サブピクセルは、前記第１スリットと前記第２スリットによって４つのドメインに分けられ、前記４つのドメインが備える液晶分子のそれぞれが４つの異なる方向に配向していることを特徴とする請求項１に記載の液晶ディスプレイ。
【請求項３】
前記画素は方形であることを特徴とする請求項１〜請求項２のいずれかに記載の液晶ディスプレイ。
【請求項４】
前記第１スリットと前記第２スリットとは、直線であることを特徴とする請求項１〜請求項３のいずれかに記載の液晶ディスプレイ。
【請求項５】
前記第１サブピクセル及び第２サブピクセルはその外郭形状が三角形であることを特徴とする請求項１〜請求項４のいずれかに記載の液晶ディスプレイ。
【請求項６】
前記第１スリットと前記第２スリットの両方又はいずれか一方が曲線である請求項１〜請求項５のいずれかに記載の液晶ディスプレイ。
【請求項７】
前記画素の水平方向の断面の何れもが少なくとも第１サブピクセルの１つのセグメントと第２サブピクセルの１つのセグメントとを含み、垂直方向の断面の何れもが少なくとも第１サブピクセルの１つのセグメントと第２サブピクセルの１つのセグメントとを含むことを特徴とする請求項１〜請求項６の何れかに記載の液晶ディスプレイ。
【請求項８】
少なくとも隣接する第１画素及び第２画素を有する液晶ディスプレイであって、
前記第１画素は、第１サブピクセルと第２サブピクセルを有し、前記第１サブピクセルは、前記第２サブピクセルによって２つの部分に分割され、前記第１サブピクセルの前記２つの部分と前記第２サブピクセルとの間にそれぞれ第１スリットと第２スリットを挟んでいて、前記第１スリットは前記画素の片側の中心点から前記片側の反対側の一方の角に延び、前記第２スリットは前記画素の前記片側の中心点から前記反対側の他方の角に延び、
前記第２画素は、第３サブピクセルと第４サブピクセルを有し、前記第３サブピクセルは、前記第４サブピクセルによって２つの部分に分割され、前記第３サブピクセルの前記２つの部分と前記第４サブピクセルとの間にそれぞれ第３スリットと第４スリットを挟んでいて、前記第３スリットは前記画素の片側の中心点から前記片側の反対側の一方の角に延び、前記第４スリットは前記画素の前記片側の中心点から前記反対側の他方の角に延び、
前記第１画素の第１サブピクセルと前記第２画素の第４サブピクセルとは第１電圧閾値で動作し、前記第１画素の第２サブピクセルと前記第２画素の第３サブピクセルは第２電圧閾値で動作し、前記第１電圧閾値と前記第２閾値は互いに異なることを特徴とする液晶ディスプレイ。
【発明の詳細な説明】
【技術分野】
【０００１】
本件発明は、液晶ディスプレイに関し、特に、補正された画素アレイを有する液晶ディスプレイに関するものである。
【背景技術】
【０００２】
液晶ディスプレイは、光源または反射器の前面に配列された複数の画素で構成される薄型平面のディスプレイ装置である。各画素は、２つの電極に挟まれた液晶分子の層を有している。液晶分子は、それぞれに電荷を有している。電極にバイアス電圧を負荷すると、分子をねじる静電気を生じる。これにより分子を通過する光を曲げ、フィルターを通過する（または通過させない）光の程度を変化させることができる。よって、画像をこれら画素の列と行との組み合わせで表示することができる。
【０００３】
図５に従来の画素アレイ１００を示す。、各画素１０２は、その間に配置されたスリット１２０によって分割された第１サブピクセル１０４と第２サブピクセル１０６で形成されている。視野角特性を改善するために、第１サブピクセル１０４と第２サブピクセル１０６は、異なる電圧閾値を有するように設計し、発光する際の印加電圧は異なる飽和電圧レベルとする。異なる飽和電圧レベルが異なる２つの第１サブピクセル１０４と第２サブピクセル１０６は、その中の液晶分子に異なる配向方向を持つことになる。即ち、これにより視野角特性が改善される。
【０００４】
更に視野角特性を改善するために、各サブピクセル１０４は、液晶分子がいろいろな方向に配向した複数のドメインに分割される。例えば、サブピクセル１０４は、突起状構造物１０８と１１０によって３つの部分に分割される。３つに分割された配置により、左上の分割された部分の分子の配向は矢印１１２で表される方向、左下の分割された部分の分子の配向は矢印１１４で表される方向、右側の分割された部分の分子の上半分の配向は矢印１１６で表される１つの方向と、その下半分の配向は矢印１１８で表されるもう１つの方向になる。各部分の配向方向が、ドメインを定義付ける。よって、サブピクセル１０２は４つのドメインを有することになる。
【０００５】
これらのさまざまなドメインが、視野角特性を改善する。図６にラインＡ−Ａに沿ったサブピクセル１０４の断面図２００を示す。電極２０２と２０４に電圧が印加されると、突起状構造物１０８は右側の分子をある１つの方向に配向させ、左の分子を別の方向に配向させる。これにより、上の分割された部分２０６、右上の分割された部分２０８と、左上の分割された部分２１０は同じ光量を受けることができる。言い換えれば、サブピクセル１０４は、さまざまな角度から比較的均一な光伝達量として見えることになる。
【０００６】
従来の画素アレイ１００の１つの欠点は、突起状構造物とスリットが、光線を伝送できる画素の面積と画素の実際の面積との比率である開口率を減少させることにある。突起状構造物とスリットが多ければ多いほど開口率が低くなることは、当業者には周知である。図５に示すように、サブピクセル１０４と１０６は、スリット１２０によって分割されており、それぞれは２つの突起状構造物を有している。このことは、画素１０２の開口率を減少させている。
【０００７】
図７に、従来技術における別の画素アレイ３００を示す。ここでの各画素３０２は、低電圧閾値の第１サブピクセル３０４と高電圧閾値の第２サブピクセル３０６とで構成されている。図に示すように、各サブピクセル３０４または３０６は、１つの突起状構造物のみを備えている。よって、画素３０２の開口率は改善されている。
【０００８】
そして、特許文献１には、突起状構造物を採用した際に問題となるムラの発生を、突起の断面形状を非対称にして解決する技術が開示されている。
【０００９】
【特許文献１】特開２００５−１３４６４２号公報
【発明の開示】
【発明が解決しようとする課題】
【００１０】
そして、従来技術による前記画素アレイ３００のもう１つの欠点は、その画素配列では画素の広い領域にわたる画像の不均一さである筋状の“ムラ”問題を受けやすいことである。図７と図８とを比較参照すると、従来技術による画素アレイ３００を右側から見た時、サブピクセル４０２のある列は、それらの分子配向に起因して暗く見えることになる。サブピクセル３０６は、高電圧閾値を有するため、発光した時にはより暗く見える。サブピクセル３０４は、低電圧閾値を有するため、発光した時にはより明るく見える。その結果、行４０４は高電圧閾値のサブピクセル３０６によって形成されていることからより暗く見え、行４０６は低電圧閾値のサブピクセル３０４によって形成されていることからより明るく見える。このことは、明暗縞が互いに織り合わされた現象である筋状の“ムラ”欠陥の原因となる。
【００１１】
この様に、筋状の“ムラ”欠陥がなく、高開口率の画素アレイを有する液晶ディスプレイが必要とされていた。
【課題を解決するための手段】
【００１２】
本件発明に係る液晶ディスプレイ：第１電圧閾値で動作する第１サブピクセルと、前記第１サブピクセルに隣接して配置された第２電圧閾値で動作する第２サブピクセルと、を備え、前記第１電圧閾値は、前記第２電圧閾値より小さく、前記第１サブピクセルは、前記第２サブピクセルによって２つの部分に分割され、前記第１サブピクセルの前記２つの部分と前記第２サブピクセルとの間にそれぞれ第１スリットと第２スリットを挟んでいて、前記第１スリットは前記画素の片側の中心点から前記片側の反対側の一方の角に延び、前記第２スリットは前記画素の前記片側の中心点から前記反対側の他方の角に延びることにより視野角特性が改善されたことを特徴としている。
【００１３】
本件発明に係る液晶ディスプレイにおいて、前記第１サブピクセルと前記第２サブピクセルは、４つのドメインに分けられ、前記４つのドメインのそれぞれが備える液晶分子は４つの異なる方向に配向していることも好ましい。
【００１５】
本件発明に係る液晶ディスプレイにおいては、前記画素は方形であることも好ましい。
【００１７】
本件発明に係る液晶ディスプレイにおいては、前記第１スリットと第２スリットは、直線であることも好ましい。
【００１８】
本件発明に係る液晶ディスプレイにおいては、前記第１サブピクセル及び第２サブピクセルはその外郭形状が三角形であることも好ましい。
【００１９】
本件発明に係る液晶ディスプレイにおいては、前記第１スリットと第２スリットの両方又はいずれか一方が曲線であることも好ましい。
【００２０】
そして、本件発明に係る液晶ディスプレイは、前記視野角特性が改善された液晶ディスプレイであって、前記画素の水平方向の断面の何れもが少なくとも第一サブピクセルの１つのセグメントと第二サブピクセルの１つのセグメントとを含み、垂直方向の断面の何れもが少なくとも第一サブピクセルの１つのセグメントと第二サブピクセルの１つのセグメントとを含むことも好ましい。
【００２１】
更に本件発明に係る液晶ディスプレイは、上述した画素構造を有する第１画素と前記第１画素に隣接して配置され且つ上述した画素構造を有する第２画素とを備えるものであって、前記第１画素の第１サブピクセルと前記第２画素の第２サブピクセルとは第１電圧閾値で動作し、前記第１画素の第２サブピクセルと前記第２画素の第１サブピクセルは第２電圧閾値で動作し、前記第１電圧閾値と前記第２閾値は互いに異なっている。
【発明の効果】
【００２２】
本件発明の液晶ディスプレイによれば、画素が２つのスリットのみを有することから、画素の視野角特性を改善し、且つ、画素の開口率が大きく改善され、“ムラ”欠陥をなくすことができる。
【発明を実施するための最良の形態】
【００２３】
本件発明の構成及び動作方法と同時に目的、特徴、長所が一層明確に理解されるよう、以下に実施形態を説明し、実施例で図を参照しつつ詳細に説明する。
【００２４】
本件発明に係る液晶ディスプレイの形態：  本件発明に係る液晶ディスプレイは、第１電圧閾値で動作する第１サブピクセルと前記第１サブピクセルに隣接して配置された第２電圧閾値で動作する第２サブピクセルとで構成される画素を１つまたは複数有する液晶ディスプレイであって、前記第１サブピクセルを前記第２サブピクセルで２つの部分に分割して得られた少なくとも４つのドメインの液晶分子を備え、それぞれがいろいろな明るさで発光することにより視野角特性を改善している。即ち、１つの画素を第１サブピクセルと第２サブピクセルとに分割し、電圧閾値を変えて明るさを変えることにより、明暗線（筋状の“ムラ”）の発生を抑制している。そして、ここに示すドメインの数は４つに限定されるものではなく、多いほど明暗線の発生が抑制され、視野角特性も向上することは明らかである。しかし、ドメイン数が４つの構成でも十分な視野角特性の改善は達成できる。ドメイン数を増やすためにスリット数を増やすと開口率の低下を招くため、要求される画質に応じた設計とすればよいのである。
【００２５】
本件発明に係る液晶ディスプレイにおいては、前記４つのドメインのそれぞれが備える液晶分子が４つの異なる方向に配向していることも好ましい。配向性が異なる各ドメインを異なる電圧閾値で発光させると光の伝達方向と強さが分散し、明暗線が発生せずに視野角特性が良好となる。
【００２６】
そして、前記画素は前記第１サブピクセルの一方の部分と前記第２サブピクセルとを分割する第１スリットと前記第２サブピクセルと前記第１サブピクセルの他方の部分とを分割する第２スリットとを備える。ここで用いるスリット数を２とすることで、開口率の低下を最小限としながら、上記の効果を最大限に発揮できる。
【００２７】
本件発明に係る液晶ディスプレイにおいては、前記画素は方形とし、前記第１スリットは前記画素の片側の中間点から前記画素の反対側の一方の角に延ばし、前記第２スリットは前記画素の片側の中間点から前記画素の反対側の他方の角に延ばす。そして、２本のスリットは直線とし、その配置を画素の片側の中間点から反対側の一方の角に延ばせば、最も短いスリットの合計長さで画素の液晶分子を４つのドメインに等面積で分割できる。即ち、開口率の低下を最小にして視野角特性の改善ができる。また、製造工程を考えれば、方形形状の画素に直線のスリットを形成する工程は安定した品質を作り込みやすく、液晶ディスプレイパネルとして好ましい設計形状でもある。
【００２８】
本件発明に係る液晶ディスプレイにおいては、前記第１サブピクセル及び第２サブピクセルはその外郭形状を三角形とする。方形の画素を三角形のサブピクセルの集合体とすることにより、それぞれのドメイン内の液晶分子の配向性が方形形状の画素の中心から４隅方向に展開され、同時に画面に対して斜め方向となる。即ち方向によるバラツキが小さく、特に横方向又は上下方向への視野角変化に対して視認性の変化が小さくなり好ましい。また、各画素が備えるドメイン内の液晶分子の配向性のバラツキも小さくなる。
【００２９】
本件発明に係る液晶ディスプレイにおいては、前記第１スリットと第２スリットの両方又はいずれか一方を曲線とする。前記第１スリットと第２スリットの両方を直線とすれば前述のように開口率を最小にでき、ディスプレイ上で方向別に視野角特性を変えるには、スリットの片端を前述の画素の片面の中間点から意識的にずらし、４つのドメインの面積を異なるものに調整できる。しかし、スリットを直線ではなく曲線とすれば面積及び配向性の調整自由度が向上する。
【００３０】
そして、本件発明に係る液晶ディスプレイは、前記視野角特性が改善された液晶ディスプレイであって、前記画素の水平方向の断面の何れもが少なくとも第一サブピクセルの１つのセグメントと第二サブピクセルの１つのセグメントとを含み、垂直方向の断面の何れもが少なくとも第一サブピクセルの１つのセグメントと第二サブピクセルの１つのセグメントとを含んでいる。水平断面又は矩形の一辺に平行方向に垂直な断面が第一サブピクセルと第二サブピクセルのドメインの少なくともそれぞれ１つを有することは、画素の立体構造において、各ドメイン内の液晶分子の配向角度がある範囲で安定していることを示している。その結果、視野角特性も安定したものとなる。
【００３１】
更に本件発明に係る液晶ディスプレイは、第１画素と前記第１画素に隣接して配置された第２画素とを備えるものであって、前記第１画素の第１サブピクセルと前記第２画素の第２サブピクセルとは第１電圧閾値で動作させ、前記第１画素の第２サブピクセルと前記第２画素の第１サブピクセルとは第２電圧閾値で動作させるものである。前述のように、１つの画素を第１サブピクセルと第２サブピクセルとに分割し、電圧閾値を変えることで明るさを変えれば、明暗線の発生を抑制することはできる。しかしながら、方向により明るさが異なるという問題は内在している。しかし、上記のように２つの画素を用い、配向性が同じドメイン内の液晶分子に対して異なる閾電圧をかければ、同一方向に異なる明るさが伝達されることになり、明るさを一定にできることになる。即ち、前述の構成に比べても、更に視野角特性が良好なディスプレイなのである。
【実施例】
【００３２】
図１に、本件発明に係る１つの実施形態である画素アレイ５００を示す。画素アレイ５００は、例えば、垂直配列（ＶＡ）モードのＬＣＤ装置やツイステッドネマティック（ＴＮ）モードのＬＣＤ装置などのさまざまなモードの液晶ディスプレイに用いることができる。画素アレイ５００は、各画素が２つのサブピクセルに分割された方形の複数の画素で構成される。各画素は、更に、液晶分子が異なる方向に配向した複数のドメインに分割される。例えば、画素５０２は、スリット５１４と５１６とによって３つの分割された部分５０８、５１０と５１２とに分割され、スリット５１４は、画素５０２の片側の中間点から画素５０２の反対側の角に延び、スリット５１６は、画素５０２の片側の中間点から画素５０２の反対側のもう１つの角に延びている。この様に分割された部分５０８と５１０とは互いに電気的接続されており、分割された部分５１２は、もう１つの分割された部分５０８と５１０とから電気的に切断されている。このようにして、分割された部分５０８と５１０とが第１サブピクセルを形成し、分割された部分５１２が第２サブピクセルを形成する。分割された部分５０８の液晶分子は、矢印５１８が示す方向に配向し、分割された部分５１０の液晶分子は、矢印５２０が示す方向に配向する。スリット５１４と５１６との配置関係に起因して、分割された部分５１２の上半分の液晶分子は矢印５２２が示す方向に配向し、分割された部分５１２の下半分の液晶分子は矢印５２４が示す方向に配向する。液晶分子が同じ配向方向を有する領域が１つのドメインとして定義される。このようにして、画素５０２は、４つのドメインを有することになる。これらのドメインが、画素５０２の視野角特性を改善する。また、画素５０２は、２つのスリット５１４と５１６のみを有する。図５に示す４つの突起状構造物と１つのスリットを有する従来の画素１０２に比べ、画素５０２の開口率は大きく改善される。
【００３３】
分割された部分５０８と５１０とは、低電圧閾値を有するように設計され、分割された部分５１２は、高電圧閾値を有するように設計される。このような高、低電圧閾値部分は、画素アレイ５００内の全ての画素に繰り返し配置される。図１に示す網掛け領域は高閾値部分を示しており、網掛けのない領域は低閾値部分を示している。水平の線で網掛けされた領域の画素は、正極性で電圧を印加され、垂直の線で網掛けされた領域の画素は、負極性で電圧を印加される。電荷の極性は、画素の寿命を延ばすために反転することができる。極性が違うことにより、正極性で電圧を印加された画素と負極性で電圧を印加された画素では、僅かに異なるグレーレベルを有することがある。
【００３４】
図２に、図１の画素アレイを左側から見た状態を示す。各画素６０２では、液晶分子が配向していることにより、上側のドメイン６０４と６０６とは、下側のドメイン６０８と６１０よりも明るく見える。ドメイン６０４と６１０が第１サブピクセル内に配置され、ドメイン６０６と６０８とが第２サブピクセル内に配置され、それぞれ異なる電圧で駆動されることから、ドメイン６０４は低電圧閾値を有し、ドメイン６０６より明るい。同様に、ドメイン６１０は低電圧閾値を有することから、ドメイン６０８より明るい。よって、各画素は、いろいろなグレーレベルの４つのドメインを有する。網掛けのない領域は、最も明るいドメインを表す。水平の線、または垂直の線で網掛けされた領域は、中間の明るさのドメインを表す。チェック柄で網掛けされた領域は、最も暗いドメインを表す。斜の線で網掛けされた領域は、中間の暗さのドメインを表す。図２に示すように、最も明るいドメイン、中間の明るさのドメイン、中間の暗さのドメインと最も暗いドメインとは、全画素アレイ６００の全体に混合して存在する。よって、画素アレイ６００は、図８に示す織り合わされた明暗縞を生じない。従って、“ムラ”現象がなくなる。
【００３５】
図３に、図１の画素アレイを右側から見た状態を示す。各画素７０２では、液晶分子が配向していることにより、上側のドメイン７０４と７０６とは、下側のドメイン７０８と７１０より明るく見える。ドメイン７０４と７１０とが第１サブピクセル内に配置され、ドメイン７０６と７０８とが第２サブピクセル内に配置され、それぞれ異なる電圧で駆動されることから、ドメイン７０４は低電圧閾値を有し、ドメイン７０６より明るい。同様に、ドメイン７１０は低電圧閾値を有することから、ドメイン７０８より明るい。よって、各画素は、いろいろなグレーレベルの４つのドメインを有する。即ち、網掛けのない領域は、最も明るいドメインを表す。水平の線、または垂直の線で網掛けされた領域は、中間の明るさのドメインを表す。チェック柄で網掛けされた領域は、最も暗いドメインを表す。斜の線で網掛けされた領域は、中間の暗さのドメインを表す。図３に示すように、最も明るいドメイン、中間の明るさのドメイン、中間の暗さのドメインと最も暗いドメインとは、全画素アレイ７００の全体に混合される。よって、画素アレイ７００は、図８に示す織り合わされた明暗縞を生じない。従って、“ムラ”現象がなくなる。
【００３６】
図４に、本件発明に係る別の実施形態である画素アレイ８００を示す。画素アレイ８００は、各画素が方形であって２つのサブピクセルに分割されている、複数の画素で構成されている。各画素は、更に複数のドメインに分割されており、液晶分子はそれぞれのドメインで異なる方向に配向している。例えば、画素８０２は、スリット８１４と８１６によって３つの分割された部分８０８、８１０と８１２とに分割され、スリット８１４は、画素８０２の片側の中間点から画素８０２の反対側の角に延び、スリット８１６は、画素８０２の片側の中間点から画素８０２の反対側のもう１つの角に延びている。分割された部分８０８と８１０とは、互いに電気的に接続され、分割された部分８１２は、別の分割された部分８０８と８１０とから電気的に切断されている。よって、分割された部分８０８と８１０とが第１サブピクセルを形成し、分割された部分８１２が第２サブピクセルを形成する。分割された部分８０８の液晶分子は、矢印８１８が示す方向に配向し、分割された部分８１０の液晶分子は、矢印８２０が示す方向に配向する。スリット８１４と８１６とを配置することにより、分割された部分８１２の上半分の液晶分子は矢印８２２が示す方向に配向し、分割された部分８１２の下半分の液晶分子は矢印８２４が示す方向に配向する。液晶分子が同じ配向方向を有する領域が１つのドメインとして定義される。この様に、画素８０２は４つのドメインを有することになる。これらのドメインが画素８０２の視野角特性を改善する。また、画素８０２は、２つのスリット８１４と８１６のみを有する。図５に示す４つの突起状構造物と１つのスリットを有する従来の画素１０２に比べ、画素８０２の開口率は大きく改善される。
【００３７】
分割された部分８０８と８１０とは、低電圧閾値を有するように設計され、分割された部分８１２は、高電圧閾値を有するように設計される。このような高、低電圧閾値部分は、画素アレイ８００内の全ての画素に繰り返し配置される。図４に示す網掛け領域は高閾値部分を示しており、網掛けのない領域は低閾値部分を示している。水平の線で網掛けされた領域の画素は、正極性で電圧を印加され、垂直の線で網掛けされた領域の画素は、負極性で電圧を印加される。電荷の極性は、画素の寿命を延ばすために、反転することができる。極性が違うことにより、正極性で電圧を印加された画素と負極性で電圧を印加された画素では、僅かに異なるグレーレベルを有することがある。
【００３８】
図４に示す画素アレイ８００が図１に示す画素アレイ５００と異なっている点は、高閾値部分と低閾値部分の配置を、隣接する２つの画素単位で反転する部分である。画素アレイ８００は、画素アレイ８００をある角度から見た時に、各画素がいろいろなグレーレベルの４つのドメインを有するという点で、画素アレイ５００と似ている。よって、画素アレイ８００は、図８に示す織り合わされた明暗縞を生じない。従って、“ムラ”現象がなくなる。
【００３９】
上述の実施例は、説明のための単なる例であることを断っておく。開口率を減少することなく、“ムラ”欠陥をなくすことができる代わりの実施形態であれば、本件発明に係る精神の範囲内となる。例えば、上述のスリットを直線ではなく、曲線とすることができる。そしてまた、高閾値部分と低閾値部分との配置を交換することもできる。
【００４０】
上記に本件発明に係る好適な実施形態及び実施例を示したが、これらは本件発明を明確に理解するためのものであって、本件発明を限定するものではない。また、ここでに示した図や説明についても同様である。即ち、当業者であれば本件発明の精神及び範囲を逸脱しない範囲で行い得る多少の変更や修飾を付加することは可能である。従って、本件発明が保護を請求する範囲は、特許請求の範囲を基準とする。
【産業上の利用可能性】
【００４１】
本件発明では、液晶ディスプレイの１つ、または１つ以上の画素を第１電圧閾値で動作する第１サブピクセルと、第１サブピクセルに隣接した第２電圧閾値で動作する第２サブピクセルとを備えるものとして視野角特性を改善している。第１サブピクセルを第２サブピクセルによって２つの部分に分割する際に２本のスリットを用い、いろいろなグレーレベルで発光する少なくとも４つのドメインの液晶分子を形成するため開口率の低下は最小限にできる。そして、本件発明に係る画素の分割と電圧閾値とを組み合わせることにより、いろいろな視野角特性を作り込むことが可能になる。
【図面の簡単な説明】
【００４２】
【図１】本件発明に係る液晶ディスプレイの画素アレイの模式図である。
【図２】本件発明に係る液晶ディスプレイの画素アレイを左側から見た模式図である。
【図３】本件発明に係る液晶ディスプレイの画素アレイを右側から見た模式図である。
【図４】本件発明に係る液晶ディスプレイの画素アレイの模式図である。
【図５】従来技術による液晶ディスプレイの画素アレイの模式図である。
【図６】従来技術による画素のＡ−Ａにおける断面模式図である。
【図７】従来技術による液晶ディスプレイの画素アレイの模式図である。
【図８】従来技術によるある角度から見た時に“ムラ”現象を有する画素アレイの模式図である。
【符号の説明】
【００４３】
１００  画素アレイ
１０２  画素
１０４  第１サブピクセル
１０６  第２サブピクセル
１０８、１１０  突起状構造物
１１２、１１４、１１６、１１８  配向方向を示す矢印
１２０  スリット
２００  第１サブピクセル１０４の断面図
２０２、２０４  電極
２０６  上側の分割された部分
２０８  右上側の分割された部分
２１０  左上側の分割された部分
３００  画素アレイ
３０２  画素
３０４  第１サブピクセル
３０６  第２サブピクセル
４０２  サブピクセル
４０４  行
５００  画素アレイ
５０２  画素
５０８、５１０、５１２  分割された部分
５１４、５１６  スリット
５１８、５２０、５２２、５２４  配向方向を示す矢印
６００  画素アレイ
６０２  画素
６０４、６０６  上側のドメイン
６０８、６１０  下側のドメイン
７００  画素アレイ
７０２  画素
７０４、７０６  上側のドメイン
７０８、７１０  下側のドメイン
８００  画素アレイ
８０２  画素
８０８、８１０、８１２  分割された部分
８１４、８１６  スリット
８１８、８２０、８２２、８２４  配向方向を示す矢印
【図１】
0004700021.tif 000002
【図２】
0004700021.tif 000003
【図３】
0004700021.tif 000004
【図４】
0004700021.tif 000005
【図５】
0004700021.tif 000006
【図６】
0004700021.tif 000007
【図７】
0004700021.tif 000008
【図８】
0004700021.tif 000009